(57)【要約】【課題】ＰＣカードスロットを有し、通常動作モードの他に、前記スロットに特定の種類のＰＣカードが挿入された状態で、ＰＣカードとその周辺回路のみ動作可能なように電源供給が行われる特定モードを実行可能な電子機器において、前記特定モード時にＰＣカードの差し替えによる誤動作を防止する。【解決手段】ＰＣカードコントローラ２は、スロットに対するＰＣカード１の挿入、抜出を検出する挿抜検出手段４から挿抜検出信号制御手段６を介して伝達される挿入検出信号に応じてＰＣカード電源制御手段３にＰＣカード１への電源供給をオンさせ、抜出検出信号に応じてオフさせる。挿抜検出信号制御手段６は、通常動作モードでは挿入検出信号と抜出検出信号をそのままＰＣカードコントローラ２に伝達し、特定モードでは抜出検出信号のみを伝達するように制御する。【選択図】        図１
2004192489.tif 000002
【特許請求の範囲】
【請求項１】
ＰＣカードを挿入、抜出可能に接続するスロットを有する電子機器において、
前記スロットに対するＰＣカードの挿入、抜出を検出する挿抜検出手段と、
該挿抜検出手段からの挿入検出信号に応じてＰＣカードへの電源供給をオンし、抜出検出信号に応じてＰＣカードへの電源供給をオフする制御を含むＰＣカードの制御を行うＰＣカードコントローラと、
前記挿抜検出手段から出力される挿入検出信号と抜出検出信号の前記ＰＣカードコントローラへの伝達を制御する挿抜検出信号制御手段と、
を含むＰＣカード周辺回路を有し、
少なくとも、電子機器全体が電源を供給されて動作可能となる通常動作モードと、前記スロットに特定の種類のＰＣカードが挿入された状態で、電子機器の大部分は電源供給を制限されて動作停止状態とされるが前記ＰＣカードと前記ＰＣカード周辺回路は電源供給を受けて動作可能とされる特定モードとを実行可能であり、
前記挿抜検出信号制御手段は、前記通常動作モードでは前記挿入検出信号と抜出検出信号をそのまま前記ＰＣカードコントローラに伝達し、前記特定モードでは前記抜出検出信号のみを伝達するように制御することを特徴とする電子機器。
【発明の詳細な説明】
【０００１】
【発明の属する技術分野】
本発明は、ＰＣＭＩＡカードやコンパクトフラッシュ（商標名）カードなどのＰＣカードを挿入、抜出可能に接続するスロット（以下、ＰＣカードスロットという）を有する電子機器に関するものである。
【０００２】
【従来の技術】
パソコンや携帯端末機器などの電子機器では、上記のＰＣカードスロットを有し、これに挿入されて接続されたＰＣカードを使用する構成が採用されている。
【０００３】
従来、この種の電子機器では、ＰＣカードスロットに対するＰＣカードの挿入、抜出を検出する検出手段が設けられ、これによりＰＣカードの挿入が検出されるとＰＣカードへの電源供給がオンされ、抜出が検出されるとＰＣカードへの電源供給がオフされるようになっていた（例えば下記の特許文献１の段落０００４，０００７参照）。
【０００４】
しかし、この構成では、ＰＣカードがスロットに挿入されている限り、ＰＣカードが使用されておらずアクセスされていないときでも常時ＰＣカードとこれを制御するＰＣカードコントローラなどのＰＣカード周辺回路に電源供給がなされるので、電力を無駄に消費してしまう。これは特に電池駆動の電子機器の場合に深刻な問題である。
【０００５】
この対策として、特にＰＣカードとしてＰＣカードモデムなどの通信機能を有する通信カードを用いるコンピュータシステムで、通信処理の開始と終了の度毎にＰＣカード（通信カード）のリソース割り当て及び開放の要求が発行されるシステムにおいて、ＰＣカードの使用中だけ電源を供給するために、ＰＣカードのリソース割り当て要求の発行に応じてＰＣカードに対する電源供給をオンし、リソース開放要求の発行に応じて電源供給をオフする構成が特許文献１に記載されている（要約及び請求項１など参照）。またＰＣカードの使用中止指示を監視してＰＣカードが使用中止されたか否かを検出し、使用中止されたときにＰＣカードに対する電源供給をオフする構成も記載されている（請求項３等参照）。
【０００６】
一方、パソコンや携帯端末機器などでは、作業状態（プログラム実行状態）を保存しておいて、少なくとも主要部の電源供給を制限（オフないし節電）してシステムを停止状態、いわゆるサスペンド状態とし、その後、パワーオンキーなどの特定のキー入力に応じて電源供給を回復して、保存しておいた作業状態から動作を再開（レジューム）する、いわゆるサスペンド・レジューム機能を備えたものが一般的である。この機能を備えた電子機器でＰＣカードスロットを有するものでは、消費電力を抑えるために、サスペンド中はスロットに挿入されたＰＣカードとＰＣカード周辺回路への電源供給をオフし、レジューム時に電源供給を再開するというようなＰＣカードの電源管理が行われている。
【０００７】
しかし、スロットに挿入されたＰＣカードがＰＨＳ機能などの通信機能を有する通信カードである場合、サスペンド状態で通信カードの電源をオフしてしまうと、通信カードが動作できず通信の待ち受け（具体的には着信の待ち受け）ができない。このため、通信カードの場合、電子機器の大部分がサスペンド中（電源オフないし節電中）でも通信カードとＰＣカード周辺回路へは電源供給を行って動作可能とし通信の待ち受けを可能とする通信待ち受けモードを実行可能にした構成が採用されている。
【０００８】
【特許文献１】
特開平９−２３７１３９号公報
【０００９】
【発明が解決しようとする課題】
しかしながら、上記の通信待ち受けモード時に、通信カードが他のＰＣカードに差し替えられた場合、通信待ち受けモードが解除される訳ではなく、そのＰＣカードに対しても電源供給が行われ、ＰＣカードコントローラなどが通信カードを想定して動作するため、誤動作をまねく恐れがあった。
【００１０】
また、通信待ち受けモード中は常時通信カードとＰＣカード周辺回路に電源供給を行うため、通常のサスペンドモード時に比べて消費電力が大きくなってしまう。
【００１１】
これに対して、特許文献１に記載されたＰＣカードの使用中だけ電源供給を行う構成は、電子機器の通常動作時であることを前提としており、上記のサスペンド状態における通信待ち受けモードでの消費電力の問題に対応できない。
【００１２】
なお、通信カード以外でも特定の種類のＰＣカードがＰＣカードスロットに挿入された状態で、電子機器の大部分は電源供給を制限（オフないし節電）されて動作停止状態とされるが、前記ＰＣカードとＰＣカード周辺回路は電源供給を受けて動作可能とされる特定モードを実行することも考えられ、この場合も上記と同様の問題がある。
【００１３】
そこで本発明の課題は、この種の電子機器であって、少なくとも、電子機器全体が電源を供給されて動作可能となる通常動作モードと、上記の特定モードを実行可能な電子機器において、特定モードの実行時に前記特定の種類のＰＣカードが他のＰＣカードに差し替えられても誤動作を防止することができ、さらに消費電力を低減することもできる構成を提供することにある。
【００１４】
【課題を解決するための手段】
上記の課題を解決するため、本発明によれば、
ＰＣカードを挿入、抜出可能に接続するスロットを有する電子機器において、
前記スロットに対するＰＣカードの挿入、抜出を検出する挿抜検出手段と、
該挿抜検出手段からの挿入検出信号に応じてＰＣカードへの電源供給をオンし、抜出検出信号に応じてＰＣカードへの電源供給をオフする制御を含むＰＣカードの制御を行うＰＣカードコントローラと、
前記挿抜検出手段から出力される挿入検出信号と抜出検出信号の前記ＰＣカードコントローラへの伝達を制御する挿抜検出信号制御手段と、
を含むＰＣカード周辺回路を有し、
少なくとも、電子機器全体が電源を供給されて動作可能となる通常動作モードと、前記スロットに特定の種類のＰＣカードが挿入された状態で、電子機器の大部分は電源供給を制限されて動作停止状態とされるが前記ＰＣカードと前記ＰＣカード周辺回路は電源供給を受けて動作可能とされる特定モードとを実行可能であり、
前記挿抜検出信号制御手段は、前記通常動作モードでは前記挿入検出信号と抜出検出信号をそのまま前記ＰＣカードコントローラに伝達し、前記特定モードでは前記抜出検出信号のみを伝達するように制御する構成を採用した。
【００１５】
【発明の実施の形態】
以下、図を参照して本発明の実施の形態を説明する。ここではＰＣカードスロットを有する電子機器であって、先述した通信待ち受けモードを実行可能な電池駆動の電子機器における実施形態を示す。
【００１６】
［第１の実施形態］
図１は本発明の第１の実施形態における電子機器のＰＣカード周辺回路の機能的構成を示すブロック図である。
【００１７】
１はＰＣカードであり、メモリーカードなどの他にＰＨＳカードなどの通信機能を有する通信カードも用いられる。
【００１８】
２はＰＣカード１の制御を行うＰＣカードコントローラであり、ＰＣカード１に対するデータのリード／ライトなどの制御を行う。また、ＰＣカード１への電源供給をオン、オフするＰＣカード電源制御手段３を制御してＰＣカード１への電源供給のオン、オフを制御する。なお、ＰＣカードコントローラ２は、ＰＣカード１が電子機器の不図示のＰＣカードスロットに挿入され接続されたとき等にＰＣカード１にアクセスしてＰＣカード１の種類のデータを読み取り、電子機器全体の制御を司る不図示のＣＰＵ（以下、単にＣＰＵという）に通知する。
【００１９】
４は挿抜検出手段であり、ＰＣカードスロットに対するＰＣカード１の挿入、抜出を検出し、挿入検出信号、抜出検出信号を出力する。その信号は後述する挿抜検出信号制御手段６を介してＰＣカードコントローラ２に伝達される。ＰＣカードコントローラ２は挿入検出信号に応じてＰＣカード１への電源供給をオンさせ、抜出検出信号に応じてオフさせる。
【００２０】
５はパワーモード通知手段であり、ＣＰＵが出力する各動作モードに応じた状態出力信号などに基づいて電源管理に関わるパワーモードを判断し、パワーモードを示すデータを挿抜検出信号制御手段６に通知する。なお、上記の状態出力信号は、ＣＰＵが固有の機能として出力するものの他、ＣＰＵの汎用ポートを利用してプログラムにより出力するもの等である。
【００２１】
ここでは、パワーモードは電源オフモード、サスペンドモード、通信待ち受けモード、通常動作モード（フルパワーモード）の４モードとし、パワーモード通知手段５は、それぞれのモードを例えば２ビットのデータで、（０，０）＝電源オフモード、（０，１）＝サスペンドモード、（１，０）＝通信待ち受けモード、（１，１）＝通常動作モードというように通知する。
【００２２】
電源オフモードでは、電子機器全体の電源がオフされ、図１のＰＣカード周辺回路の構成を含めて電子機器全体が動作停止状態となる。
【００２３】
サスペンドモードでは、挿抜検出手段４と挿抜検出信号制御手段６のみ電源を供給して動作可能とし、ＣＰＵを含めて電子機器の他の大部分は電源供給を制限（オフないし節電）して動作停止状態、すなわちサスペンド状態とする。
【００２４】
通信待ち受けモードでは、ＣＰＵを含めて電子機器の大部分は電源供給を制限（オフないし節電）して動作停止状態とするが、通信の待ち受け（着信の待ち受け）を行うため、ＰＣカード（通信カード）１とＰＣカード周辺回路のＰＣカードコントローラ２、ＰＣカード電源制御手段３、挿抜検出手段４、パワーモード通知手段５、及び挿抜検出信号制御手段６は電源供給を受けて動作可能とされる。そして、通信待ち受けモードで通信カードに着信があったら通信カードがそのことをＰＣカードコントローラ２に通知し、それを受けてＰＣカードコントローラ２がＣＰＵを起動する信号を出力し、それにより起動されたＣＰＵが電子機器のパワーモードを通常動作モードに移行させ、通信を開始させる。
【００２５】
通常動作モードでは、電子機器全体に電源供給がなされ、電子機器全体が動作可能となる。
【００２６】
一方、挿抜検出信号制御手段６は、パワーモード通知手段５から通知される上記４つのパワーモードのデータに応じて、挿抜検出手段４からＰＣカードコントローラ２への挿入検出信号と抜出検出信号の伝達を以下のように制御する。
【００２７】
すなわち、まず電源オフモードでは電子機器全体が電源供給をオフされて動作を停止しており、挿抜検出手段４も挿抜検出信号制御手段６も動作停止状態にあり、挿抜検出も検出信号の伝達もなされない。
【００２８】
サスペンドモードでは、動作状態にある挿抜検出手段４から挿入検出信号または抜出検出信号が入力されるが、ＰＣカードコントローラ２に伝達せず、保持し、レジューム時に保持された挿入検出信号または抜出検出信号をサスペンド中の挿抜履歴としてＰＣカードコントローラ２に伝達する。
【００２９】
通信待ち受けモードでは、先述のようにＰＣカードスロットに挿入された通信カードが他の種類のＰＣカードに差し替えられると誤動作を招くので、これを防止する必要がある。このため、通信カードの差し替えがあった場合、動作状態にある挿抜検出手段４からまず抜出検出信号、その後、挿入検出信号が入力されるが、挿抜検出信号制御手段６は抜出検出信号のみＰＣカードコントローラ２に伝達し、挿入検出信号は伝達しないようにする。なお、この場合に挿抜検出信号制御手段６は、挿入検出信号を保持しておき、通信待ち受けモードから通常動作モードに移行したら、その挿入検出信号をＰＣカードコントローラ２に伝達する。
【００３０】
このように通信待ち受けモード中に通信カードが他のＰＣカードに差し替えられても、ＰＣカードコントローラ２に抜出検出信号しか伝達されないので、ＰＣカードコントローラ２は抜出検出信号に応じてＰＣカード電源制御手段３を制御してＰＣカードへの電源供給をオフさせるだけで、その後、通信カード以外のＰＣカードが挿入されても、そのＰＣカードへの電源供給をオンさせることはない。これによりＰＣカードに関わる誤動作を防止することができる。
【００３１】
通常動作モードでは、挿抜検出信号制御手段６は、挿抜検出手段４から入力される挿入信号と抜出信号をそのままＰＣカードコントローラ２に伝達する。従って、ＰＣカード１の挿入に応じてＰＣカード１への電源供給がオンされ、抜出に応じて電源供給がオフされる。
【００３２】
次に、本実施形態の電子機器の通信待ち受けモード時の動作を図２のフローチャートにより説明する。
【００３３】
図２のステップＳ１において、ＰＣカード１として通信カードがＰＣカードスロットに挿入された通常動作モードの状態で、例えば不図示のキーボードなどの入力手段からの入力が一定時間なかった、あるいは通信待ち受けモードを設定する入力があった等の所定の条件が満たされると、ＣＰＵは、パワーモードを通常動作モードから通信待ち受けモードに移行させ、ステップＳ２で通信待ち受けモードを開始させる。このとき、前述のように、ＣＰＵを含めて電子機器の大部分は電源供給を制限（オフないし節電）して動作停止状態とされるが、図１のＰＣカード１と、ＰＣカード周辺回路のＰＣカードコントローラ２〜挿抜検出信号制御手段６は電源供給を受けて動作状態とされる。また、パワーモード通知手段５から挿抜検出信号制御手段６に対して通信待ち受けモードを示すデータが通知される。
【００３４】
続いてステップＳ３以下の動作はＰＣカードコントローラ２により以下のように行われる。
【００３５】
すなわち、まず一定時間ウエイトした（ステップＳ３）後、ＰＣカード（通信カード）１からの通知で着信があったか否かを判断し（ステップＳ４）、あった場合はＣＰＵを起動するためのシステム起動通知信号を出力する（ステップＳ５）。これによりＣＰＵが起動され、電子機器のパワーモードを通常動作モードに移行させ、通信を開始させる。
【００３６】
また、着信がなかった場合は、ＰＣカード（通信カード）１の抜出があったか（抜出検出信号の伝達があったか）否かを判断し（ステップＳ６）、なかったらステップＳ３に戻り、ステップＳ３以下の動作を繰り返す。
【００３７】
また、ＰＣカード１の抜出があったらＰＣカード電源制御手段３を制御し、ＰＣカード１への電源供給をオフさせる（ステップＳ７）。
【００３８】
以上のように、本実施形態によれば、通信待ち受けモード中に通信カードが他のＰＣカードに差し替えられても、通信カードの抜出時にＰＣカードへの電源供給がオフされるだけで、その後、挿入された他のＰＣカードへの電源供給がオンされることはないので、ＰＣカードに関わる誤動作を未然に防止することができる。
【００３９】
［第２の実施形態］
次に、図３は本発明の第２の実施形態における電子機器のＰＣカード周辺回路の機能的構成を示すブロック図である。図３において第１の実施形態の図１中と共通の部分には共通の符号を付してあり、その説明は省略する。
【００４０】
図３の構成では、図１の構成に加えてアクセス監視手段７、タイマー８、ＰＣカードＩ／Ｆ（インターフェース）スイッチ回路１１が設けられている。また図１では図示を省略した表示器１０を示してある。
【００４１】
アクセス監視手段７は、ＰＣカードコントローラ２がＰＣカード１に対してアクセスするために出力するチップセレクト信号９の有無によりＰＣカードコントローラ２を介したＰＣカード１へのアクセスの有無を監視する。この監視は、タイマー８により計時される所定時間の間隔で周期的に行われる。
【００４２】
表示器１０は、後述のようにＰＣカード１の電源をオフする前に使用者に通知する警告の表示を行うために用いられる。
【００４３】
ＰＣカードＩ／Ｆスイッチ回路１１は、ＣＰＵ及びアクセス監視手段７に制御されて、ＰＣカード１とＰＣカードコントローラ２間の信号線の接続、遮断を行う。
【００４４】
上記構成によれば、ＰＣカードＩ/Ｆスイッチ回路１１によりＰＣカード１とＰＣカードコントローラ２の間の信号線を遮断しておけば、ＰＣカードコントローラ２への電源供給をオフしても、ＰＣカード１への電源供給をオンしておけば、ＰＣカード１による通信の待ち受けを行うことができる。
【００４５】
従って、通信待ち受けモード時に、ＣＰＵの制御などでＰＣカードＩ/Ｆスイッチ回路１１によりＰＣカード（通信カード）１とＰＣカードコントローラ２の間の信号線を遮断しておいてＰＣカードコントローラ２への電源供給をオフにした状態でＰＣカード１を待機状態（通信待ち受け状態）においておくことが可能になる。これにより通信待ち受けモード時の消費電力を低減することができる。
【００４６】
なお、この場合、通信待ち受けモードでＰＣカード（通信カード）１の抜出が挿抜検出手段４により検出されたとき、抜出検出信号の出力によりＰＣカードコントローラ２への電源供給が再開され、動作状態となったＰＣカードコントローラ２が挿抜検出手段４から挿抜検出信号制御手段６を介して入力される抜出信号に応じてＰＣカード電源制御手段３にＰＣカード１への電源供給をオフさせるものとする。そして、その後、再びＰＣカードコントローラ２への電源供給がオフされるものとする。
【００４７】
また、通常動作モード時には、アクセス監視手段７は、タイマー８により計時される監視周期の時間より大幅に長い所定時間Ｔ1の間チップセレクト信号９の出力がないこと、つまりＰＣカードコントローラ２を介したＰＣカード１へのアクセスがないことを認識すると、図４に示すように電子機器１３の表示器１０に警告表示１２の画像を表示させる。警告表示１２は、ＰＣカード１へのアクセスがない状態が上記所定時間Ｔ1経過した時点からさらに所定時間Ｔ2の間ＰＣカード１へのアクセスがなければＰＣカード１への電源供給をオフすることを使用者に予告して警告するものであり、具体的には例えばＰＣカード１にあと何秒アクセスしなければＰＣカード１の電源をオフするというようなことを予告する表示である。
【００４８】
この警告表示１２を表示しても時間Ｔ2内にＰＣカード１へのアクセスがなかった場合、すなわち警告表示１２の表示開始前にアクセスがなかった時間Ｔ1を含めて合計で一定時間（Ｔ1＋Ｔ2）アクセスがなかった場合、アクセス監視手段７は挿抜検出信号制御手段６に対して挿抜検出手段４の抜出検出信号に対応するコントロール信号を送り、それがＰＣカードコントローラ２に伝達されることにより、ＰＣカードコントローラ２がＰＣカード電源制御手段３にＰＣカード１への電源供給をオフさせる。
【００４９】
このようにＰＣカード１に対するアクセスが一定時間なかったらＰＣカード１への電源供給をオフするので、消費電力を低減することができる。また、ＰＣカード１への電源供給をオフする前に上記の警告表示１２で使用者に警告するので、使用者がＰＣカード１を使用する必要性に応じて適当に対処することができ、問題が生じることはない。
【００５０】
なお、この際にＰＣカード１への電源供給をオフする前段階として、アクセス監視手段７がＰＣカードＩ／Ｆスイッチ回路１１を制御してＰＣカードコントローラ２とＰＣカード１の間の信号線を遮断させることにより、ＰＣカード１への電源供給がオンされている状態でもＰＣカード１の消費電力を一段落とすことが可能である。
【００５１】
なお、以上の実施形態において、通信カード以外の特定の種類のＰＣカードがＰＣカードスロットに挿入された状態で、通信待ち受けモードと同様に、そのＰＣカードとＰＣカード周辺回路のみ電源を供給して動作可能とする特定モードを実行することも可能であり、その実行時もＰＣカードに関わる電源供給制御に関して通信待ち受けモードと同様にすることで同様の作用効果が得られる。
【００５２】
また、上述した実施形態の電子機器は電池駆動のものとしたが、商用電源で駆動される電子機器にも本発明が適用できることは勿論である。
【００５３】
以上、本発明の実施形態を説明したが、本発明の趣旨と範囲は実施形態で説明したものに限定されないことは勿論である。本発明の実施態様の例を以下に列挙する。
【００５４】
［実施態様１］  ＰＣカードを挿入、抜出可能に接続するスロットを有する電子機器において、
前記スロットに対するＰＣカードの挿入、抜出を検出する挿抜検出手段と、
該挿抜検出手段からの挿入検出信号に応じてＰＣカードへの電源供給をオンし、抜出検出信号に応じてＰＣカードへの電源供給をオフする制御を含むＰＣカードの制御を行うＰＣカードコントローラと、
前記挿抜検出手段から出力される挿入検出信号と抜出検出信号の前記ＰＣカードコントローラへの伝達を制御する挿抜検出信号制御手段と、
を含むＰＣカード周辺回路を有し、
少なくとも、電子機器全体が電源を供給されて動作可能となる通常動作モードと、前記スロットに特定の種類のＰＣカードが挿入された状態で、電子機器の大部分は電源供給を制限されて動作停止状態とされるが前記ＰＣカードと前記ＰＣカード周辺回路は電源供給を受けて動作可能とされる特定モードとを実行可能であり、
前記挿抜検出信号制御手段は、前記通常動作モードでは前記挿入検出信号と抜出検出信号をそのまま前記ＰＣカードコントローラに伝達し、前記特定モードでは前記抜出検出信号のみを伝達するように制御することを特徴とする電子機器。
【００５５】
［実施態様２］  前記ＰＣカードコントローラと前記スロットに挿入されたＰＣカードとの間の信号線の接続、遮断を行うＰＣカードインターフェーススイッチ手段を有し、
前記特定モードでは前記ＰＣカードインターフェーススイッチ手段により前記ＰＣカードコントローラとＰＣカード間の信号線を遮断しておいて前記ＰＣカードコントローラへの電源供給をオフすることを特徴とする実施態様１に記載の電子機器。
【００５６】
［実施態様３］  前記ＰＣカードコントローラを介して前記ＰＣカードにアクセスがあったか否かを監視するアクセス監視手段を有し、
前記通常動作モード時に、前記アクセス監視手段により前記ＰＣカードに対するアクセスが一定時間なかったことが認識されたときに、ＰＣカードへの電源供給をオフすることを特徴とする実施態様１または２に記載の電子機器。
【００５７】
［実施態様４］  表示手段を有し、前記通常動作モード時に、前記アクセス監視手段により前記ＰＣカードに対するアクセスが前記一定時間より短い所定時間なかったことが認識されたときに、前記表示手段により使用者に対してＰＣカードへの電源供給オフを予告する警告表示を行うことを特徴とする実施態様３に記載の電子機器。
【００５８】
［実施態様５］  前記特定の種類のＰＣカードは通信機能を有する通信カードであることを特徴とする実施態様１に記載の電子機器。
【００５９】
【発明の効果】
以上の説明から明らかなように、本発明によれば、ＰＣカードスロットを有する電子機器であって、少なくとも、電子機器全体が電源を供給されて動作可能となる通常動作モードと、前記スロットに特定の種類のＰＣカード（例えば通信カード）が挿入された状態で、電子機器の大部分は電源供給を制限されて動作停止状態とされるが前記ＰＣカードとＰＣカード周辺回路は電源供給を受けて動作可能とされる特定モードとを実行可能な電子機器において、前記特定モードの実行時に前記特定の種類のＰＣカードが他のＰＣカードに差し替えられても、特定の種類のＰＣカードの抜出時にＰＣカードへの電源供給がオフされた後、差し替えられた他のＰＣカードに対して電源供給がオンされることがないので、ＰＣカードに関わる誤動作を未然に防止することができる。
【００６０】
また、通常動作モード時には、ＰＣカードに対するアクセスが一定時間なかったらＰＣカードへの電源供給をオフするようにし、特定モード時には、ＰＣカード周辺回路中のＰＣカードコントローラとＰＣカード間の信号線を遮断しておいてＰＣカードコントローラへの電源供給をオフするようにしたので、ＰＣカードに関わる消費電力を低減することができ、特に電池駆動の電子機器の場合に電池の寿命を長くすることができるという優れた効果が得られる。
【図面の簡単な説明】
【図１】本発明の第１の実施形態における電子機器のＰＣカード周辺回路の機能的構成を示すブロック図である。
【図２】同電子機器の通信待ち受けモード時における動作手順を示すフローチャート図である。
【図３】第２の実施形態における電子機器のＰＣカード周辺回路の機能的構成を示すブロック図である。
【図４】同電子機器の通常動作モードでＰＣカード電源オフ前の警告表示を行っている様子を示す説明図である。
【符号の説明】
１  ＰＣカード
２  ＰＣカードコントローラ
３  ＰＣカード電源制御手段
４  挿抜検出手段
５  パワーモード通知手段
６  挿抜検出信号制御手段
７  アクセス監視手段
８  タイマー
９  チップセレクト信号
１０  表示器
１１  ＰＣカードＩ／Ｆスイッチ回路
１２  警告表示
１３  電子機器
【図１】
2004192489.tif 000003
【図２】
2004192489.tif 000004
【図３】
2004192489.tif 000005
【図４】
2004192489.tif 000006